(57)【要約】【課題】透光性部材に対する光の照射位置を複雑に変化させることで、遊技の興趣を増大させる。【解決手段】装飾部材に対して第１の方向へ回転可能に支持され、モータに接続する軸部材２３と、軸部材２３に設けられ、反射部材２２を第１の方向と異なる第２の方向へ回転可能に支持する枢支部２４と、反射部材２２に設けられ、枢支部２４に対する反射部材２２の回転軸方向に対し交差方向へ延在するピン２６ａと、装飾部材に位置し、ピン２６ａを所要範囲で遊動可能に支持するピン支持孔１６とを備える。モータにより軸部材２３を第１の方向へ回転させて反射部材２２を第１の方向へ回転させることにより、ピン２６ａを変位させて反射部材２２に第２の方向への回転を与え、反射部材２２の透光性部材１７に対する傾斜角度および傾斜方向を変化させることで、透光性部材１７に対する反射部材２２からの反射光の照射位置を移動させる。【選択図】図３
2006136425.tif 000002
【特許請求の範囲】
【請求項１】
装置本体に設けられた発光体と、前記発光体からの光を反射する反射部材と、前記反射部材の前方に設けられ、該反射部材からの反射光が照射される透光性部材とを備え、所要の駆動手段により前記反射部材を変位させることで、前記透光性部材に対する反射光の照射位置が移動するよう構成された遊技機の発光演出装置であって、
装置本体に対して第１の方向へ回転可能に支持され、前記駆動手段に接続する軸部材と、
前記軸部材に設けられ、前記反射部材を前記第１の方向と異なる第２の方向へ回転可能に支持する枢支部と、
前記反射部材に設けられ、前記枢支部に対する反射部材の回転軸方向に対し交差方向へ延在するピンと、
前記装置本体に位置し、前記ピンを所要範囲で遊動可能に支持するピン支持部とからなり、
前記駆動手段により前記軸部材を第１の方向へ回転させて前記反射部材を第１の方向へ回転させることにより、前記ピンがピン支持部により規制された範囲で変位して前記反射部材に第２の方向への回転を与え、該反射部材の前記透光性部材に対する傾斜角度および傾斜方向を変化させるよう構成した
ことを特徴とする遊技機の発光演出装置。
【請求項２】
発光体を有する可動部材と、前記可動部材の前方に設けられ、前記発光体からの光が照射される透光性部材とを備え、所要の駆動手段により前記可動部材を変位させることで、前記透光性部材に対する発光体の照射位置が移動するよう構成された遊技機の発光演出装置であって、
装置本体に対して第１の方向へ回転可能に支持され、前記駆動手段に接続する軸部材と、
前記軸部材に設けられ、前記可動部材を前記第１の方向と異なる第２の方向へ回転可能に支持する枢支部と、
前記可動部材に設けられ、前記枢支部に対する可動部材の回転軸方向に対し交差方向へ延在するピンと、
前記装置本体に位置し、前記ピンを所要範囲で遊動可能に支持するピン支持部とからなり、
前記駆動手段により前記軸部材を第１の方向へ回転させて前記可動部材を第１の方向へ回転させることにより、前記ピンがピン支持部により規制された範囲で変位して前記可動部材に第２の方向への回転を与え、該可動部材に設けた前記発光体の前記透光性部材に対する傾斜角度および傾斜方向を変化させるよう構成した
ことを特徴とする遊技機の発光演出装置。
【請求項３】
前記透光性部材には、所要の意匠が施される請求項１または２記載の遊技機の発光演出装置。
【発明の詳細な説明】
【技術分野】
【０００１】
この発明は、遊技機の発光演出装置に関し、更に詳細には、発光体からの光を反射する反射部材または発光体を備えた可動部材の前方に透光性部材を備え、該透光性部材に対する光の照射位置が反射部材または可動部材の動作に伴って移動するよう構成された発光演出装置に関するものである。
【背景技術】
【０００２】
代表的な遊技機であるパチンコ機は、機内にセットされる遊技盤の盤面に画成した遊技領域の略中央位置に装飾部材が配設されて、該装飾部材に形成した開口部から液晶式やドラム式等の図柄表示装置を臨ませ、この図柄表示装置で図柄組み合わせゲームやリーチ演出等の主たる遊技演出を行なうようになっている。またパチンコ機の所要位置に、ランプやＬＥＤ等の発光体および光を透過する透光性部材を備えた発光演出装置を配設し、該発光体からの光を透光性部材に直接照射するか、反射部材で反射させた反射光を間接的に透光性部材に照射することにより、視覚的な演出効果を向上させるようになっている。また、前記発光演出装置に設けられる前記発光体や反射部材を動作させて、発光体からの光、あるいは反射部材からの反射光の前記透光性部材に対する照射位置が変化するよう構成し、遊技の興趣を一層増大し得るようにしたものも知られている。
【０００３】
例えば、発光体からの光を反射して透光性部材に照射する発光演出装置を例とすると、装置本体に複数の発光体を固定配置して、発光体からの光を反射可能な反射面を有する可動反射体(反射部材)を装置本体に対して一方向に揺動可能に配設すると共に、該可動反射体からの反射光が照射される透光性のレンズ部材(透光性部材)を設けたものがある(例えば、特許文献１参照)。すなわち、前記発光体を発光させた状態で、前記可動反射体を揺動することで、前記レンズ部材に対する可動反射体の傾斜角度が変化し、これによりレンズ部材に対する反射光の照射位置および照射領域を変化し得るようになっている。
【特許文献１】特開２００２−２８２４３６号公報
【発明の開示】
【発明が解決しようとする課題】
【０００４】
しかしながら、前述した特許文献１に記載の発光演出装置のように、従来の発光演出装置では、発光体や反射部材を一方向に単純に移動させるよう構成されるため、透光性部材に対する光の照射位置は発光体や反射部材の移動に応じて直線的に変化するだけである。従って、このような発光演出装置を設けたとしても、その演出効果は乏しいものとなり、インパクトや迫力に欠けると共に、遊技の興趣を向上するには十分とは云えない問題が指摘される。
そこで、本発明は、透光性部材に対する光の照射位置を複雑に変化させて、遊技の興趣を増大させ得る遊技機の発光演出装置を提供することを目的とする。
【課題を解決するための手段】
【０００５】
前記課題を克服し、所期の目的を好適に達成するため、本発明に係る遊技機の発光演出装置は、
装置本体(15)に設けられた発光体(18)と、前記発光体(18)からの光を反射する反射部材(22)と、前記反射部材(22)の前方に設けられ、該反射部材(22)からの反射光が照射される透光性部材(17)とを備え、所要の駆動手段(19)により前記反射部材(22)を変位させることで、前記透光性部材(17)に対する反射光の照射位置が移動するよう構成された遊技機の発光演出装置であって、
装置本体(15)に対して第１の方向へ回転可能に支持され、前記駆動手段(19)に接続する軸部材(23)と、
前記軸部材(23)に設けられ、前記反射部材(22)を前記第１の方向と異なる第２の方向へ回転可能に支持する枢支部(24)と、
前記反射部材(22)に設けられ、前記枢支部(24)に対する反射部材(22)の回転軸方向に対し交差方向へ延在するピン(26a)と、
前記装置本体(15)に位置し、前記ピン(26a)を所要範囲で遊動可能に支持するピン支持部(16)とからなり、
前記駆動手段(19)により前記軸部材(23)を第１の方向へ回転させて前記反射部材(22)を第１の方向へ回転させることにより、前記ピン(26a)がピン支持部(16)により規制された範囲で変位して前記反射部材(22)に第２の方向への回転を与え、該反射部材(22)の前記透光性部材(17)に対する傾斜角度および傾斜方向を変化させるよう構成したことを特徴とする。
【０００６】
また、前記課題を克服し、所期の目的を好適に達成するため、本願の別の発明に係る遊技機の発光演出装置は、
発光体(18)を有する可動部材(32)と、前記可動部材(32)の前方に設けられ、前記発光体(18)からの光が照射される透光性部材(17)とを備え、所要の駆動手段(19)により前記可動部材(32)を変位させることで、前記透光性部材(17)に対する発光体(18)の照射位置が移動するよう構成された遊技機の発光演出装置であって、
装置本体(15)に対して第１の方向へ回転可能に支持され、前記駆動手段(19)に接続する軸部材(23)と、
前記軸部材(23)に設けられ、前記可動部材(32)を前記第１の方向と異なる第２の方向へ回転可能に支持する枢支部(24)と、
前記可動部材に設けられ、前記枢支部(24)に対する可動部材(32)の回転軸方向に対し交差方向へ延在するピン(26a)と、
前記装置本体(15)に位置し、前記ピン(26a)を所要範囲で遊動可能に支持するピン支持部(16)とからなり、
前記駆動手段(19)により前記軸部材(23)を第１の方向へ回転させて前記可動部材(32)を第１の方向へ回転させることにより、前記ピン(26a)がピン支持部(16)により規制された範囲で変位して前記可動部材(32)に第２の方向への回転を与え、該可動部材(32)に設けた前記発光体(18)の前記透光性部材(17)に対する傾斜角度および傾斜方向を変化させるよう構成したことを特徴とする。
【０００７】
更に、前記透光性部材(17)に、所要の意匠を施すようにしてもよい。
【発明の効果】
【０００８】
本発明の請求項１に係る遊技機の発光演出装置によれば、軸部材に設けた枢支部に反射部材を支持するよう構成したことで、該軸部材の第１の方向への回転に伴って反射部材も第１の方向へ回転させ得る。また、装置本体のピン支持部に対し、前記反射部材に設けたピンを所要範囲内で遊動可能に支持するよう構成したことにより、該反射部材が第１の方向へ回転すると、該ピン支持部に対してピンが変位して反射部材に第２の方向への回転が与えられる。すなわち、前記反射部材を同時に異なる２方向に回転させることで、透光性部材に対する反射部材の傾斜角度および傾斜方向を変化させ得るから、透光性部材に対する反射光の照射位置を移動することができ、遊技の興趣を高め得る。また、前記反射部材の異なる２方向への回転に伴い、反射光が透光性部材に到達するまでの距離を変化させ得るから、その距離に応じて反射光が照射された部位の輝度を変化することができ、発光演出に対するインパクトや迫力を向上し得る利点もある。更に、単一の駆動手段により前記反射部材を異なる２方向に回転させ得るから、装置の製造コストを低減し得ると共に、省スペース化を図り得る利点がある。
【０００９】
そして、本願の別の発明である請求項２に係る遊技機の発光演出装置によれば、軸部材に設けた枢支部に可動部材を支持するよう構成したことで、該軸部材の第１の方向への回転に伴って可動部材も第１の方向へ回転させ得る。また、装置本体のピン支持部に対し、前記可動部材に設けたピンを所要範囲内で遊動可能に支持するよう構成したことにより、該可動部材が第１の方向へ回転すると、該ピン支持部に対してピンが変位して可動部材に第２の方向への回転が与えられる。すなわち、前記可動部材を同時に異なる２方向に回転させることで、該可動部材に設けた発光体の透光性部材に対する傾斜角度および傾斜方向を変化させ得るから、透光性部材に対する光の照射位置を移動することができ、遊技の興趣を高め得る。また、前記可動部材の異なる２方向への回転に伴い、発光体からの光が透光性部材に到達するまでの距離を変化させ得るから、その距離に応じて光が照射された部位の輝度を変化することができ、発光演出に対するインパクトや迫力を向上し得る利点もある。更に、単一の駆動手段により前記可動部材を異なる２方向に回転させ得るから、装置の製造コストを低減し得ると共に、省スペース化を図り得る利点がある。
【００１０】
また、請求項３に係る遊技機の発光演出装置によれば、前記透光性部材に所要の意匠を施すことで、遊技者に親しみを与え、遊技の興趣を増大し得る利点がある。
【発明を実施するための最良の形態】
【００１１】
次に、本発明に係る遊技機の発光演出装置につき好適な実施例１および実施例２を挙げて、添付図面を参照しながら、以下詳細に説明する。なお、実施例１および実施例２では、図柄を可変表示して主たる遊技演出を行なう図柄表示装置を備えるパチンコ機を例にして説明する。また、各実施例において「前」、「後」および「左」、「右」とは、図１に示すようにパチンコ機の遊技盤１０を正面側から視た状態において指称するものとする。
【実施例１】
【００１２】
図１に示すように、実施例１に係るパチンコ機の遊技盤１０は、略円形状に湾曲形成したレール１０ａにより囲まれた遊技領域１０ｂの前側において、縦央やや下部にパチンコ球をスイッチで検出し得る始動入賞具１１と、この始動入賞具１１の直上方に配設されて遊技領域１０ｂの略中央に位置し、図柄表示装置１３が後方から臨む装飾部材１５と、始動入賞具１１の直下方に設置された大型電動式の入賞装置１２等を備えている。ここで、前記始動入賞具１１内に配設した図示しないスイッチがパチンコ球を検出することで、前記図柄表示装置１３で図柄変動ゲームが開始される。また、前記入賞装置１２は、図１に示されるように、特別入賞具に設けられた扉状の開閉板１２ａが、後側の電磁ソレノイド(図示せず)に係る設定駆動条件に基づいて、通常の閉鎖状態から開放状態に変化し得るよう構成されて、前記図柄変動ゲームの結果、特別遊技(所謂大当り)が発生すると開閉板１２ａが開放して多数の賞球を得る機会が付与されるようになっている。
【００１３】
前記装飾部材１５は、図１に示すように、前記遊技領域１０ｂの左右幅方向の大部分を占め、その略中央位置に開設した可視表示部１５ａを介して前記図柄表示装置１３が後方から臨むよう構成され、該装飾部材１５を遊技盤１０に開設した装着孔(図示せず)に前側から挿入した状態で遊技盤１０にネジ止めされる。そして、前記装飾部材１５の上部位置に、所要の発光演出を行なう実施例１に係る発光演出装置２０が設けられている。
【００１４】
前記発光演出装置２０は、図３に示すように、前記装飾部材１５に設けられたＬＥＤ(発光体)１８と、該装飾部材１５に所要動作し得るよう設けられた反射体２１と、該反射体２１の前方に設けられ、該反射体からの反射光が照射される透光性部材１７と、反射体２１に連繋接続される図示しないモータ(駆動手段)とから基本的に構成される。すなわち、実施例１では、前記装飾部材１５が発光演出装置２０の装置本体としても機能している。なお、前記透光性部材１７は、有色または無色の透明または半透明の素材により形成されると共に、所要の模様(意匠)を施してある。
【００１５】
前記反射体２１について説明する。図２〜図４に示すように、前記反射体２１は、鏡面加工が施されて、前記透光性部材１７の裏側に位置する略矩形板状の反射部材２２と、前記装飾部材１５に設けた軸孔１５ｂ(図４参照)に対して回転可能に挿入される軸部材２３と、該軸部材２３の端部に設けられて、軸部材２３の延在方向と直交する方向に貫通する通孔２４ａを形成した枢支部２４と、該枢支部２４の通孔２４ａに回転可能に挿入されて、一方の端部に反射部材２２が固定される連結軸２５と、該連結軸２５の他方の端部に固定された作動部２６と、該作動部２６に形成されて、連結軸２５に対し直交する方向(すなわち枢支部２４に対する反射部材２２の回転軸方向に対する交差方向)に延在するピン２６ａとから構成される。また、前記軸部材２３の前記枢支部２４を設けた端部とは反対側の端部には、ギアやリンク機構等の公知の伝達手段(図示せず)を接続するよう構成されており、該伝達手段を介して軸部材２３が前記モータに連繋接続されている。
【００１６】
すなわち、前記反射部材２２は、図３または図４に示すように、前記軸部材２３を中心(回転軸)とする回転(第１の方向への回転)と、前記連結軸２５を中心(回転軸)とする回転(第１の方向とは異なる第２の方向への回転)とを行ない得るようになっている。なお、図３は、反射体２１における反射部材２２の動作機構を概略で示す説明図であって、反射体２１の反射部材２２を第１位置から第２位置(何れも後述)へ変位させる状態を示している。但し、図３(b)は、前記ピン２６ａを後述するピン支持孔(ピン支持部)１６に遊動可能に挿入支持していない場合に反射部材２２を第１の方向へ回転した状態を示す想像図であって、本発明の技術内容の理解を容易にするために示してある。なお、以下の説明において、前記反射部材２２の回転方向に関しては、該反射部材２２が軸部材２３を中心として回転する場合には、軸部材２３におけるモータとの接続端部側から視た状態を基準とし、前記連結軸２５を中心として回転する場合には、作動部２６側から反射部材２２を視た状態を基準にして説明する。
【００１７】
また、前記ピン２６ａは、図４に示すように、前記装飾部材１５の所要位置に形成したピン支持孔１６に対して遊動可能に挿入支持されている。なお、前記ピン支持孔１６は、前記連結軸２５(作動部２６)に対して前記軸孔１５ｂとは反対側に位置するよう形成してある。すなわち、前記軸部材２３を中心として前記反射部材２２を回転させた際に、前記ピン２６ａとピン支持孔１６との位置関係が変化し(図３(b)参照)、これに伴ってピン２６ａがピン支持孔１６に対して傾動(変位)して前記反射部材２２が連結軸２５を中心として回転するようになっている(図３(c)参照)。なお、前記ピン支持孔１６における前記反射体２１側の内周端縁部は面取りされており、該ピン支持孔１６の内周端縁部に沿ってピン２６ａが滑らかに傾動(変位)し得るようになっている。
【００１８】
ここで、前記反射体２１の所要位置に図示しない検出片を設けると共に、前記装飾部材１５に該検出片を検出するセンサ(図示せず)を２箇所に取付けるよう構成され、該センサの検出に基づいて前記制御手段が前記モータの回転方向を制御するようになっている。すなわち、実施例１では前記各センサが検出片を検出する範囲で前記反射体２１が往復運動するようになっている。具体的には、実施例１では、前記反射体２１が、前記反射部材２２が前記ＬＥＤ１８からの光を右下方向へ向けて反射する第１位置(図３(a)参照)と、該反射部材２２がＬＥＤ１８からの光を左上方向へ向けて反射する第２位置(図３(c)参照)との間で変位し得るよう構成してある。なお、実施例１の反射体２１およびＬＥＤ１８は、前記反射部材２２が第１位置と第２位置との間を変位する間において該反射部材２２に対してＬＥＤ１８からの光を照射し、かつその反射光が前記透光性部材１７に向けて照射される位置関係で配置されている。
【００１９】
〔実施例１の作用〕
次に、前述した実施例１に係る遊技機の発光演出装置の作用につき説明する。
【００２０】
前記装飾部材１５に配設した前記発光演出装置２０は、常には前記反射体２１の反射部材２２が第１位置に保持されて、前記ＬＥＤ１８を点灯・点滅した際には反射部材２２からの反射光により前記透光性部材１７の右下方位置が明輝されるようになっている。そして、前記遊技盤１０に打ち出されたパチンコ球が前記始動入賞具１１に入賞すると、前記図柄表示装置１３で各種図柄が可変表示されて所要の遊技演出が行なわれ、このとき所要の制御条件が成立すると、前記制御手段からの信号に基づいて前記モータが正方向へ回転駆動されて、前記伝達手段を介して前記反射体２１の軸部材２３を時計回りに回転させる。
【００２１】
ここで、前記軸部材２３が時計回りに回転すると、該軸部材２３に設けた前記枢支部２４に支持された連結軸２５を介して前記反射部材２２も軸部材２３を中心として時計回りに回転する。前記反射部材２２には、前記連結軸２５を介して作動部２６が固定され、該作動部２６のピン２６ａを前記装飾部材１５に形成したピン支持孔１６に遊動可能に挿通してある。従って、前記反射部材２２が前記軸部材２３を中心として時計回りに回転して前記ピン２６ａとピン支持孔１６との位置関係が相対的に変化すると(図３(b)参照)、これに合わせてピン支持孔１６に対してピン２６ａが傾動(変位)して(図３(c)参照)、前記連結軸２５が枢支部２４に対して回転する。すなわち、前記ピン２６ａの傾動(変位)に伴って前記反射部材２２が連結軸２５を中心として反時計回りに回転し、反射部材２２が第２位置へ変位する。ここで、前記反射部材２２が第１位置から第２位置へ変位するに際し、該反射部材２２からの反射光の照射方向も変化して、前記透光性部材１７に対する反射光の照射位置は、透光性部材１７の右下方位置から左上方位置へ向けて移動する。
【００２２】
また、前記反射部材２２が第２位置へ変位すると、反射体２１に設けた検出片を前記一方のセンサが検出し、これにより前記制御手段が前記モータを逆方向に回転駆動させる。従って、前述とは反対に、前記軸部材２３は反時計回りに回転すると共に、前記反射部材２２も軸部材２３を中心として反時計回りに回転する。ここで、前記反射部材２２が前記軸部材２３を中心として反時計回りに回転することにより、前記ピン２６ａとピン支持孔１６との位置関係が相対的に変化し、これに合わせてピン支持孔１６に対してピン２６ａが傾動(変位)すると共に、前記連結軸２５が枢支部２４に対して回転する。すなわち、前記ピン２６ａの傾動(変位)に伴って連結軸２５を中心として前記反射部材２２が時計回りに回転し、反射部材２２が第１位置へ変位する。ここで、前記反射部材２２が第２位置から第１位置へ変位するに際し、該反射部材２２からの反射光の照射方向も変化して、前記透光性部材１７に対する反射光の照射位置は、透光性部材１７の右下方位置から左上方位置へ向けて移動する。そして、前記反射部材２２が第１位置へ変位すると、反射体２１に設けた検出片を別のセンサが検出し、これにより前記制御手段が前記モータを正方向へ回転駆動して前述と同様の動作を繰り返す。
【００２３】
このように、前記装飾部材１５に回転可能に支持した軸部材２３の枢支部２４に、前記連結軸２５を介して反射部材２２を支持することで、該反射部材２２を軸部材２３を中心として回転させ得ると共に、該連結軸２５に固定した作動部２６のピン２６ａを装飾部材１５のピン支持孔１６に対して遊動可能に支持したことにより、反射部材２２を連結軸２５を中心として回転させ得る。従って、前記反射部材２２を第１位置と第２位置との間で変位させた際に、該反射部材２２を同時に異なる２方向に回転させて、反射部材２２に三次元的な動作を与え得る。
【００２４】
すなわち、前記反射部材２２を同時に異なる２方向に回転させることで、前記透光性部材１７に対する反射部材２２の傾斜角度および傾斜方向を変化させて透光性部材１７に対する反射光の照射位置を移動することができ、視覚的な演出効果を向上し得る。また、前記透光性部材１７に対する反射部材２２の傾斜角度および傾斜方向の変化に伴い、反射光が透光性部材１７に到達するまでの距離や透光性部材１７に対する反射光の照射角度も変化する。このため、反射光が透光性部材１７に到達するまでの距離の変化に応じて、反射光が照射された部位の輝度が変化する。更に、図５(a)に示すように、前記透光性部材１７に対する反射光の入射角θが小さくなる場合には狭い領域が強く光るのに対し、図５(b)に示すように、該透光性部材１７に対する反射光の入射角θが大きくなる場合には広い領域が強く光り、その明るさが低下する。すなわち、前記反射部材２２を異なる２方向へ回転させることで、反射光の照射される部位の輝度、領域の大きさや位置も変化させることができ、発光演出に対するインパクトや迫力をより一層向上して、より遊技の興趣を増大させ得る。
【００２５】
なお、実施例１では、前記軸部材２３を回転させる前記モータを配設するだけで、反射部材２２を異なる２方向に回転させ得るから、装置の製造コストを低減し得ると共に、省スペース化を図り得る利点がある。また、前記透光性部材１７に所要の意匠を施したことで、遊技者に親しみを与え、遊技の興趣を増大し得る利点もある。
【００２６】
ところで、前記軸部材２３の軸心に沿って前記ピン２６ａが延在するよう構成した場合には、軸部材２３を中心として反射部材２２を回転した場合に、ピン２６ａとピン支持孔１６との位置関係に相対的な変化が生じないため、連結軸２５を中心として反射部材２２を回転させ得ない不都合が生ずる。そこで、実施例１では、前記ピン２６ａが形成される作動部２６を、枢支部２４の通孔２４ａに挿入した連結軸２５の端部に取付けてある。すなわち、前記ピン２６ａを軸部材２３から離間した位置に設けることで、軸部材２３を中心として前記反射部材２２を回転した際にピン２６ａとピン支持孔１６との位置関係を確実に変化させ得るから、連結軸２５を介して反射部材２２を確実に回転させることが可能となる。また、実施例１では、前記ピン支持孔１６の内周端縁部を面取りするようにしたから、該ピン支持孔１６の端縁に沿って前記ピン２６ａが滑らかに傾動(変位)して、前記反射部材２２の動作をスムーズに行なわせ得る利点がある。
【実施例２】
【００２７】
次に、実施例２に係る遊技機の発光演出装置について説明する。なお、実施例２に係る遊技機の発光演出装置の基本的な構成は、前述した実施例１に係る遊技機の発光演出装置と基本的に同一の構成のため、異なる構成についてのみ説明し、同一の構成については同一の符号を用いて詳細な説明は省略する。
【００２８】
実施例２に係る発光演出装置３０は、装飾部材１５に設けた透光性部材１７の裏側に、所要動作し得る可動体３１(図６参照)が設けられており、該可動部材３１に対して前記モータが伝達手段を介して連繋接続するよう構成されている。すなわち、実施例２においても、前記装飾部材１５が発光演出装置３０の装置本体としても機能している。
【００２９】
前記可動体３１について説明する。図６に示すように、前記可動体３１は、ＬＥＤ１８を設けた略矩形板状の可動部材３２と、前記装飾部材１５に設けた軸孔１５ｂに対して回転可能に挿入される軸部材２３と、該軸部材２３の端部に設けられて、軸部材２３の延在方向と直交する方向に貫通する通孔２４ａを形成した枢支部２４と、該枢支部２４の通孔２４ａに回転可能に挿入されて、一方の端部に可動部材３２が固定される連結軸２５と、該連結軸２５の他方の端部に固定された作動部２６と、該作動部２６に形成されて、連結軸２５に対し直交する方向(すなわち枢支部２４に対する可動部材３２の回転軸方向に対する交差方向)に延在するピン２６ａとから構成される。そして、前述した実施例１と同様に、前記ピン２６ａを装飾部材１５に形成したピン支持孔１６に遊動可能に挿入支持するようになっている。
【００３０】
すなわち、実施例２に係る発光演出装置３０における可動部材３２は、図６に示すように、前記軸部材２３を中心(回転軸)とする回転(第１の方向への回転)と、前記連結軸２５を中心(回転軸)とする回転(第１の方向とは異なる第２の方向への回転)とを行ない得るよう構成されている。なお、図６は、可動体３１における可動部材３２の動作機構を概略で示す説明図であって、可動体３１の可動部材３２を第１位置から第２位置(何れも後述)へ変位させる状態を示している。但し、図６(b)は、前記ピン２６ａをピン支持孔１６に遊動可能に挿入支持していない場合に可動部材３２を第１の方向へ回転した状態を示す想像図であって、本発明の技術内容の理解を容易にするために示してある。そして、前記軸部材２３を中心として前記可動部材３２を回転させた際に、前記ピン２６ａとピン支持孔１６との位置関係が変化し(図６(b)参照)、これに伴ってピン２６ａがピン支持孔１６に対して傾動(変位)して前記可動部材３２が連結軸２５を中心として回転するようになっている(図６(c)参照)。なお、以下の説明において、前記可動部材３２の回転方向に関しては、該可動部材３２が軸部材２３を中心として回転する場合には、軸部材２３におけるモータとの接続端部側から視た状態を基準とし、前記連結軸２５を中心として回転する場合には、作動部２６側から可動部材３２を視た状態を基準にして説明する。
【００３１】
ここで、実施例２では、前記可動体３１は、前記可動部材３２に設けた前記ＬＥＤ１８からの光が右下方向へ向けて照射される第１位置(図６(a)参照)と、該ＬＥＤ１８からの光が左上方向へ向けて照射される第２位置(図６(c)参照)との間で変位するよう前記制御手段がモータを駆動制御している。また、実施例２では、前記可動部材３２が第１位置と第２位置との間で変位する間において、前記ＬＥＤ１８からの光が前記透光性部材１７に向けて照射されるよう構成される。
【００３２】
〔実施例２の作用〕
次に、前述した実施例に係る遊技機の発光演出装置の作用につき説明する。
【００３３】
前記装飾部材１５に配設した前記発光演出装置３０は、常には前記可動体３１の可動部材３２が第１位置に保持されて、前記ＬＥＤ１８を点灯・点滅した際には該ＬＥＤ１８からの光により前記透光性部材１７の右下方位置が明輝されるようになっている。そして、前記遊技盤１０に打ち出されたパチンコ球が前記始動入賞具１１に入賞すると、前記図柄表示装置１３で各種図柄が可変表示されて所要の遊技演出が行なわれ、このとき所要の制御条件が成立すると、前記制御手段からの信号に基づいて前記モータが正方向へ回転駆動されて、前記伝達手段を介して前記可動体３１の軸部材２３を時計回りに回転させる。
【００３４】
ここで、前記軸部材２３が時計回りに回転すると、該軸部材２３に設けた前記枢支部２４に支持された連結軸２５を介して前記可動部材３２も軸部材２３を中心として時計回りに回転する。前記可動部材３２には、前記連結軸２５を介して作動部２６が固定され、該作動部２６のピン２６ａを前記装飾部材１５に形成したピン支持孔１６に遊動可能に挿通してある。従って、前記可動部材３２が前記軸部材２３を中心として時計回りに回転して前記ピン２６ａとピン支持孔１６との位置関係が相対的に変化すると、これに合わせてピン支持孔１６に対してピン２６ａが傾動(変位)して、前記連結軸２５が枢支部２４に対して回転する。すなわち、前記ピン２６ａの傾動(変位)に伴って前記可動部材３２が連結軸２５を中心として反時計回りに回転し、可動部材３２が第２位置へ変位する。ここで、前記可動部材３２が第１位置から第２位置へ変位するに際し、該可動部材３２に設けたＬＥＤ１８の光の照射方向も変化して、前記透光性部材１７に対する光の照射位置は、透光性部材１７の右下方位置から左上方位置へ向けて移動する。
【００３５】
また、前記可動部材３２が第２位置へ変位すると、前記制御手段からの信号により前記モータが逆方向に回転駆動される。従って、前述とは反対に、前記軸部材２３は反時計回りに回転すると共に、前記可動部材３２も軸部材２３を中心として反時計回りに回転する。ここで、前記可動部材３２が前記軸部材２３を中心として反時計回りに回転することにより、前記ピン２６ａとピン支持孔１６との位置関係が相対的に変化し、これに合わせてピン支持孔１６に対してピン２６ａが傾動(変位)すると共に、前記連結軸２５が枢支部２４に対して回転する。すなわち、前記ピン２６ａの傾動(変位)に伴って連結軸２５を中心として前記可動部材３２が時計回りに回転し、可動部材３２が第１位置へ変位する。ここで、前記可動部材３２が第２位置から第１位置へ変位するに際し、該可動部材３２に設けたＬＥＤ１８の光の照射方向も変化して、前記透光性部材１７に対する光の照射位置は、透光性部材１７の右下方位置から左上方位置へ向けて移動する。
【００３６】
このように、前記装飾部材１５に回転可能に支持した軸部材２３の枢支部２４に、前記連結軸２５を介して可動部材３２を支持することで、該可動部材３２を軸部材２３を中心として回転させ得ると共に、該連結軸２５に固定した作動部２６のピン２６ａを装飾部材１５のピン支持孔１６に対して遊動可能に支持したことにより、可動部材３２を連結軸２５を中心として回転させ得る。従って、前記可動部材３２を第１位置と第２位置との間で変位させた際に、該可動部材３２を同時に異なる２方向に回転させて、可動部材３２に三次元的な動作を与え得る。
【００３７】
すなわち、前記可動部材３２を同時に異なる２方向に回転させることで、前記透光性部材１７に対する可動部材３２に設けたＬＥＤ１８の傾斜角度および傾斜方向を変化させて透光性部材１７に対する光の照射位置を移動することができ、視覚的な演出効果を向上し得る。また、前記透光性部材１７に対する可動部材３２の傾斜角度および傾斜方向の変化に伴い、ＬＥＤ１８からの光が透光性部材１７に到達するまでの距離や、透光性部材１７に対する光の照射角度も変化する。このように、前記可動部材３２を異なる２方向へ回転させることで、実施例１と同様に、透光性部材１７におけるＬＥＤ１８からの光が照射される部位の輝度や領域の大きさも変化させることができ、発光演出に対するインパクトや迫力をより一層向上して、より遊技の興趣を増大させ得る。
【００３８】
なお、実施例２に係る可動体３１と、実施例１に係る反射体２１とは基本的に同一構成なので、実施例２に係る発光演出装置３０おいても、実施例１に係る発光演出装置２０と同様の作用効果を得ることができる。
【００３９】
〔変更例〕
なお、本発明に係る遊技機の発光演出装置としては、実施例１および実施例２のものに限られるものではなく、種々の変更が可能である。例えば、実施例１では、反射部材に対して単一の発光体からの光を照射するよう構成したが、複数の発光体からの光を反射部材に照射するようにしてもよい。反射部材に対して複数の発光体からの光を照射する場合には、各発光体からの光の反射部材に対する照射角度を夫々異ならせるようにすれば、各発光体に対応する反射光がより遊技の興趣の増大に寄与し得る利点がある。また、前記反射部材と発光体との位置関係は、反射部材が変位した際に発光体からの光が照射でき、かつ反射光が透光性部材に向けて照射されるようにすれば、任意に決定することができる。
【００４０】
また、実施例２では、可動部材に対して単一の発光体を設けるよう構成したが、複数の発光体を可動部材に設けるようにしてもよい。この場合に、各発光体の可動部材に対する取付角度、すなわち光の照射方向を夫々異ならせるようにすれば、各発光体からの光が透光性部材に照射された際に、光の照射位置がより複雑に移動するから、遊技の興趣の増大に寄与し得る利点がある。また、前記可動部材に対する発光体の取付位置は、可動部材を変位させた際に発光体からの光が透光性部材に照射されるようにすれば、任意に決定することができる。
【００４１】
そして、実施例１および実施例２では、反射体あるいは可動体を軸部材に設けた枢支部の通孔に連結軸を挿通し、該連結軸の一方の端部に可動部材を固定すると共に、他方の端部にピンを形成した作動部を固定するよう構成したが、その他の構成も採用し得る。例えば、図７に示す反射体４０は、連結軸２５の一方の端部に反射部材２２を固定すると共に、該連結軸２５の途中位置に前記ピン２６ａを形成した作動部４１を固定する。そして、前記作動部４１から突出する連結軸２５の他方の端部を、前記軸部材２３に設けた枢支部２４に回転可能に枢支すると共に、前記ピン２６ａをピン支持孔に遊動可能に支持するよう構成してある。また、図８に示す反射体４２または図９に示す反射体４３は、前記軸部材２３の端部に棒状に形成した枢支部４４を交差(直交)するよう設けると共に、連結軸４５を介して反射部材２２と作動部４６とを固定する。そして、前記作動部４６に孔部(図示せず)を形成して、該孔部に枢支部４４を回転可能に挿入すると共に、前記作動部４６に形成されたピン２６ａをピン支持孔１６に遊動可能に支持するよう構成してある。
【００４２】
すなわち、図７〜図９の何れに示す変更例に係る構成であっても、前記軸部材２３の第１の方向への回転に伴って反射部材２２も第１の方向へ回転させ得ると共に、該第１の方向への回転により前記作動部４１,４６に設けたピン２６ａがピン支持孔１６に対して変位することで反射部材２２に第２の方向への回転が与えられるから、実施例１と同様に、反射部材２２を異なる２方向に回転させることができる。なお、図７〜図９において、実施例１における反射体２１と同一の機能を有する部材には同一の符号を付してある。また、図７〜図９に係る変更例では、反射部材２２と作動部４１,４６とを連結軸２５,４５を介して固定するようにしたが、反射部材２２と作動部４１,４６とを直接固定してもよく、また反射部材２２と作動部４１,４６とを一体的に設ける(すなわち反射部材２２に直接ピン２６ａを形成する)ようにしても、前述と同様の作用効果を得ることができる。なお、図７〜図９では、実施例１のように発光体の光を反射する反射体(反射部材)を示したが、実施例２のように可動体(可動部材)に発光体を設ける構成に対しても採用し得る。
【００４３】
このように、反射部材あるいは可動部材を異なる２つの方向に回転させるには、装置本体に対して第１の方向へ回転可能に支持され、所要の駆動手段に接続する軸部材と、該軸部材に設けられ、反射部材あるいは可動部材を第１の方向と異なる第２の方向へ回転可能に支持する枢支部と、反射部材あるいは可動部材に設けられ、枢支部に対する反射部材あるいは可動部材の回転軸方向に対し交差方向へ延在するピンと、装置本体に位置し、ピンを所要範囲内で遊動可能に支持するピン支持部とを設けるようにすればよい。また、ピン支持部は、楕円状や円弧状、その他任意の形状の孔に形成することができ、このように形成することで、より複雑な第２の方向への回転を反射部材や可動部材に付与することができ、遊技者の興味をより惹き付けることが可能である、なお、ピン支持部は、実施例のような孔に限られるものではなく、ピンを所要範囲内で遊動可能に支持し得るよう構成すればよい。
【００４４】
また、実施例１および実施例２では、発光演出装置に１つの反射体(反射部材)あるいは可動体(可動部材)を設ける構成に限らず、２以上の反射体(反射部材)または可動体(可動部材)を設けるようにすることも可能である。そして、実施例１および実施例２では、図柄表示装置が臨む装飾部材に発光演出装置を設けるようにしたが、発光演出装置を独立して設けるようにしてもよい。
【００４５】
更に、反射部材あるいは可動部材を動作させる駆動機構に関しては、各実施例にものに限られるものではなく、歯車やリンク機構、その他従来公知の各種伝達用部材等を利用して任意に構成することが可能である。そして、実施例１および実施例２では、駆動手段としてモータを用いるようにしたがこれに限定されるものではなく、ソレノイドやその他従来公知の駆動手段を利用し得る。なお、各実施例では、図柄変動ゲームに合わせて反射部材あるいは可動部材を動作させるようにしたが、その他のタイミングで動作させるようにしてもよい。例えば、遊技が行なわれていない状態で反射部材あるいは可動部材を動作させることで、当該遊技機に対する遊技者の興味を惹き付けるようにすることも可能である。また、本発明に係る発光演出装置を採用する遊技機としては、各実施例に例示したパチンコ機に限られるものではなく、発光体からの光を反射する反射部材や発光体を備えた可動部材を有する遊技機であれば、スロットマシン機やアレンジボール機等の従来公知のものに採用し得る。
【００４６】
〔付記〕
なお、本発明に係る遊技機の発光演出装置に関しては、以下に示す具体的構成に限定することが可能である。
(1) 請求項１記載の遊技機の発光演出装置に関して、前記反射部材(22)は軸部(25)を備え、該軸部(25)を挿入可能な孔部(24a)を前記枢支部(24)に形成し、前記軸部(25)を孔部(24a)に挿入することで前記反射部材(22)を枢支部(24)に回転自在に支持するよう構成する。
このように、反射部材に形成した軸部を枢支部に形成した孔部に挿入させることで、軸部材を中心として反射部材を確実に回転させ得る。
(2) 請求項２記載の遊技機の発光演出装置に関して、前記可動部材(32)は軸部(25)を備え、該軸部(25)を挿入可能な孔部(24a)を前記枢支部(24)に形成し、前記軸部(25)を孔部(24a)に挿入することで前記可動部材(32)を枢支部(24)に回転自在に支持するよう構成する。
このように、可動部材に形成した軸部を枢支部に形成した孔部に挿入させることで、軸部材を中心として可動部材を確実に回転させ得る。
(3) 請求項１〜３または前記(1),(2)の何れかに記載の遊技機の発光演出装置に関して、前記ピン支持部(16)は、前記ピン(26a)が挿通される孔であって、その内周端縁部が面取りされている。
このように、前記ピン支持部の端縁部を面取りすることで、該ピン支持部の端縁に沿って前記ピンを滑らかに変位させ得る利点がある。
【図面の簡単な説明】
【００４７】
【図１】本発明の各実施例に係る発光演出装置を備えたパチンコ機の遊技盤を示す正面図である。
【図２】実施例１に係る反射体を示す分解斜視図である。
【図３】実施例１に係る発光演出装置の反射部材の動作機構を概略で示す説明図であって、(a)は反射部材を第１位置で保持した状態を示し、(b)は反射部材を第１の方向へ回転し、ピンおよびピン支持孔の位置関係が変化した状態を示し、(c)は反射部材を第２の方向へ回転した状態を示す。
【図４】実施例１に係る反射体の装飾部材への取付状態を示す概略図である。
【図５】実施例１および２に係る透光性部材に対する光の照射角度と、該透光性部材における強く光る領域との関係を概略で示す説明図である。
【図６】実施例２に係る可動部材の動作機構を概略で示す説明図であって、(a)は可動部材を第１位置で保持した状態を示し、(b)は可動部材を第１の方向へ回転し、ピンおよびピン支持孔の位置関係が変化した状態を示し、(c)は可動部材を第２の方向へ回転した状態を示す。
【図７】変更例に係る反射体を示す概略図である。
【図８】別の変更例に係る反射体を示す概略図である。
【図９】更に別の変更例に係る反射体を示す概略図である。
【符号の説明】
【００４８】
１５  装飾部材(装置本体)
１７  透光性部材
１８  ＬＥＤ(発光体)
２２  反射部材
２３  軸部材
２４  枢支部
２６ａ  ピン
３２  可動部材
【図１】
2006136425.tif 000003
【図２】
2006136425.tif 000004
【図３】
2006136425.tif 000005
【図４】
2006136425.tif 000006
【図５】
2006136425.tif 000007
【図６】
2006136425.tif 000008
【図７】
2006136425.tif 000009
【図８】
2006136425.tif 000010
【図９】
2006136425.tif 000011